(57)【要約】【課題】ごく僅かな巻回量でも糸巻き状態の適否判断を可能とし、スプールの調整作業を容易に行うことができると共に、釣糸に不要な糸撚れの蓄積を防止することができ、簡単な構造で安価に製造できる魚釣用スピニングリールを提供すること【解決手段】先端にスプール２２を装着したスプール軸２０を、リール本体１２に装着したハンドル軸１４の回転により、リール本体１２に対して前後方向に往復動させる魚釣用スピニングリール１０において、スプール２２の釣糸が巻回される釣糸巻回胴部４２の表面に、前端側と後端側との少なくとも一方の適正巻取り位置を表示する指標部５４を形成した魚釣用スピニングリール。【選択図】    図２
2004290017.tif 000002
【特許請求の範囲】
【請求項１】
先端にスプールを装着したスプール軸を、リール本体に装着したハンドル軸の回転により、リール本体に対して前後方向に往復動させる魚釣用スピニングリールにおいて、
前記スプールの釣糸が巻回される釣糸巻回胴部の表面に、前端側と後端側との少なくとも一方の適正巻取り位置を表示する指標部を形成したことを特徴とする魚釣用スピニングリール。
【発明の詳細な説明】
【０００１】
【発明の属する技術分野】
本発明は、魚釣用スピニングリールに関し、特に先端にスプールを装着したスプール軸を、リール本体に装着したハンドル軸により、リール本体に対して前後方向に往復動させる魚釣用スピニングリールに関する。
【０００２】
【従来の技術】
関連部品の寸法誤差の累積や巻回する釣糸の太さ等により、スプールに巻回される釣糸の糸巻状態が不均一となるのを防止するため、組立てた後にスプールの前後方向位置を微調整可能とした魚釣用スピニングリールが開発されている。このスピニングリールは、ハンドル軸の回転運動を往復運動に変換するオシレーティング機構の回転軸を、外部に設けた摘みを介して前後に移動することにより、スプールの位置を調整する（例えば実公平６−２１３３９号公報参照）。
このスピニングリールによると、製造出荷段階でスプールの前後方向取付け位置が最適に調節されていない場合であっても、スプールを取外してスプールの前後位置を調整する調整ワッシャの再調整等の面倒な作業を行うことなく、スプール位置を簡単に微調整することができる。
【０００３】
【特許文献１】
実公平６−２１３３９号公報（第１図、第２図）
【０００４】
【発明が解決しようとする課題】
しかし、この従来のスピニングリールは、オシレーティング機構の回転軸を外部操作で微調整するための機構が複雑となり、部品点数および組立工数の増大により、コスト高となる。また、最終的な釣糸の糸巻状態は、完成したスピニングリールのスプールに実際に巻回しなければ、確認することはできないため、釣糸の巻き直しによる面倒な作業に加え、糸撚りの蓄積により釣糸の寿命が低下する可能性がある。
【０００５】
本発明はこのような事情に基づいてなされたもので、ごく僅かな巻回量でも糸巻き状態の適否判断を可能とし、スプールの調整作業を容易に行うことができると共に、釣糸に不要な糸撚れの蓄積を防止することができ、簡単な構造で安価に製造できる魚釣用スピニングリールを提供することを目的とする。
【０００６】
【課題を解決するための手段】
上記目的を達成する本発明の魚釣用スピニングリールは、先端にスプールを装着したスプール軸を、リール本体に装着したハンドル軸の回転により、リール本体に対して前後方向に往復動させる魚釣用スピニングリールにおいて、前記スプールの釣糸が巻回される釣糸巻回胴部の表面に、前端側と後端側との少なくとも一方の適正巻取り位置を表示する指標部を形成したことを特徴とする。
【０００７】
【発明の実施の形態】
図１から図３は本発明の好ましい実施形態による魚釣用スピニングリール１０の全体を概略的に示す。
図１に示すように、魚釣用スピニングリール１０は、リール本体１２と、リール本体１２から延出する脚部１２ａと、脚部１２ａの端部に形成され且つ図示しない釣竿に取り付けられる竿取付部１２ｂとを有している。リール本体１２内にはハンドル軸１４が回転可能に支持されており、リール本体１２から突出するハンドル軸１４の端部にはハンドル１５が固定されている。
【０００８】
ハンドル軸１４のリール本体１２内に配置される部位には、図示しないドライブギアが取り付けられており、このドライブギアに、ハンドル軸１４に対して直交する方向に延在し且つ軸受けを介してリール本体１２内に回転可能に支持された円筒状構造のピニオンギア（図示しない）が噛合している。このピニオンギアの先端部には、ベール１６および図示しない釣糸案内装置を備えたロータ１８が一体的に取り付けられている。
【０００９】
また、このピニオンギア内には、スプール軸２０（図２参照）が摺動可能に支持されており、上述のドライブギアを介してハンドル軸１４で作動されるオシレーティング機構（図示しない）により、軸方向に沿う一定のストロークで往復駆動することができる。このスプール軸２０の先端には、釣糸が巻回されるスプール２２が着脱可能に取付けられ、スプール軸２０と共にこのハンドル軸１４と直交する方向に往復動することができる。
【００１０】
したがって、このスピニングリール１０は、ハンドル１５を回転操作してハンドル軸１４を回転させると、オシレーティング機構およびスプール軸２０を介してスプール２２が前後に一定ストロークで往復動するとともに、ドライブギアおよびピニオンギアを介してロータ１８が回転する。これにより、ロータ１８に設けられた釣糸案内装置を介して、スプール２２に釣糸が均等に巻回される。
【００１１】
図２に示すように、本実施形態のスピニングリール１０には、フロントドラグ方式のドラグ機構２４を設けてあり、スプール２２に制動力を付与しながらスプール２２の釣糸繰り出し方向への回転を許容する（スプールの回転力を制御する）。このスプール２２は、ピン２６を介してスプール軸２０に回り止め固定された支持部材２８上に、軸方向に離隔した一対のベアリング３０を介して回転自在に支持され、ドラグ機構２４により、この支持部材２８の後端側フランジ部に回転不能に固定されたライニング材を兼ねる圧接板３２に押圧されている。この圧接板３２に隣接させて挿入する調節ワッシャ３３の厚さを調整することで、スプール軸２０に対するスプール２２の軸方向位置を調整することができる。
【００１２】
このドラグ機構２４は、スプール軸２０の先端に螺合されるドラグ調整ツマミ３４と、スプール２２の摩擦ライニング３６に接触して圧接板３２との間でスプール２２を挟み込む摩擦板３８と、この摩擦板３８とドラグ調整ツマミ３４との間に介挿された圧縮バネ４０とを備える。摩擦板３８は支持部材２８上を軸方向に移動可能な状態でかつ回り止めされており、ドラグ調整ツマミ３４をスプール軸２０に捩じ込むと、この捩じ込み量に応じたバネ４０の押圧力で、スプール２２が支持部材２８上に支えられた圧接板３２に押圧され、スプール軸２０に対するスプール２２の回転が規制される。逆に、ドラグ調節ツマミ３４を緩めると、その緩め具合に応じて、スプール２２の制動抵抗が低下し、スプール軸２０に対して回転し易くなる。
【００１３】
図１および図２に示すように、本実施形態のスプール２２は、釣糸を巻回する釣糸巻回胴部４２と、この釣糸巻回胴部の先端部から半径方向外方に突出する前鍔部４４と、後端部から突出する後鍔部４６と、この後鍔部の外周縁部から後方に延びるスカート４８とを備える。前鍔部４４には、装飾を兼ねて外周部を保護する薄板状の硬質部材５０が嵌合され、スプール２２の先端側凹陥部に螺合するナット５２により、このスプール２２に保持されている。そして、この釣糸が巻回される釣糸巻回胴部４２の表面には、釣糸の適正巻取り位置を表示する指標部５４を形成してある。
【００１４】
図３に示すように、本実施形態の指標部５４は、前後の鍔部４４，４６に近接した部位で、釣糸巻回胴部４２の全周にわたって延設した断面Ｖ字状の溝で形成してある。これらの先端側および後端側指標部５４間の軸方向間隔は、スプール２２のストロークよりも極僅かに大きく形成してある。このため、ハンドル１５を回してスプール２２を少なくとも一回往復動させつつ、回転するロータ１８の釣糸案内装置からスプール２２の釣糸巻回胴部４２上に釣糸Ｔを巻回したときに、この釣糸Ｔが適正巻取り位置に巻回された状態すなわちスプール２２がスプール軸２０上の適正位置にあると、先端側および後端側のそれぞれの指標部５４が露出する。この場合は、スプール２２の位置が適性に配置されていることを示す。この状態で、更に釣糸Ｔを釣糸巻回胴部４２に巻きつけていくと、釣糸Ｔはこの釣糸巻回胴部４２内でその軸方向に沿ってほぼ同一径で均等に巻きつけることができる。したがってスプール２２の位置調整は不要である。
【００１５】
図４は、釣糸Ｔの巻取り位置が不適性となった例を示す。
図４の（Ａ）は、巻取り位置が前側に片寄った状態すなわちスプール軸２０に対してスプール２２が僅かに後側に偏倚した状態を示す。このとき、先端側の指標部５４が釣糸Ｔで隠れ、後端側の指標部５４が露出する。この状態で釣糸Ｔを釣糸巻回胴部４２に巻きつけていくと、先端側が大径のいわゆるラッパ状の前側に片寄った巻取り状態となり、スプール２２に所要量の釣糸Ｔを収容することができないと共に放出性能も劣る。
【００１６】
この場合には、後端側の指標部５４とこれに隣接する釣糸Ｔの巻回位置との間隔から偏倚量を知ることができる。これにより、ドラグ調整ツマミ３４を緩めてドラグ機構２４およびスプール２２をスプール軸２０および支持部材２８から取外し、調節ワッシャ３３の厚さを調整（調節ワッシャ３３を厚くしてスプール２２を前側に移動する）して、スプール２２をスプール軸２０に対して適性位置に配置することができる。
【００１７】
予めスプール２２の偏倚量を知った後に、スプール２２の位置を調整することができるため、多数回にわたって繰返し調整する必要がなく、短時間で効率良く行うことができる。また、釣糸Ｔを少なくともスプール２２の一回の往復動ストロークで巻回して適正位置を検出し、しかも、繰返して調整する必要がないため、糸撚りの蓄積による釣糸Ｔの寿命低下を防止することができる。
【００１８】
これとは逆に、スプール２２が前側に偏倚した場合は、先端側の指標部５４が露出し、後端側の指標部５４が釣糸Ｔで隠れる。この場合も、先端側の指標部５４とこれに隣接する釣糸Ｔの巻回位置との間隔から、スプール２２の偏倚量あるいは適正位置を知ることができる。
【００１９】
なお、指標部５４を形成する断面Ｖ字状の溝は、釣糸Ｔを損傷することがないように、鋭い角部を形成することなくスプール２２の外面に移行することが好ましい。また、このような溝の幅および深さは、スプール２２に巻回される釣糸Ｔの糸巻き圧力を考えて視認可能に小さく形成することが好ましい。
【００２０】
図４の（Ｂ）は、図４の（Ａ）の場合と同様に、スプール２２が後側に偏倚した状態で、太径の釣糸Ｔを巻回した前側に片寄った状態を示す。前後の指標部５４が釣糸Ｔに隠れている状態が良好であるが、この場合、後部の指標部５４が露出していることにより、スプール２２が後側に偏倚していることがわかる。
【００２１】
したがって、本実施形態の魚釣用スピニングリール１０は、スプール２２を組立てた状態でこの釣糸巻回胴部４２上に数回にわたって少量の釣糸Ｔを巻回するだけで、この釣糸巻回胴部４２の表面に形成した指標部５４と、試巻きした釣糸Ｔとの間の位置を確認することにより、釣糸巻回状態の前後方向の適正位置すなわちスプール軸２０に対するスプール２２の適正位置を確認することができるため、ごく僅かな釣糸Ｔの巻回量で糸巻き状態の適否判断ができて調整作業が容易に行えると共に、釣糸Ｔに不要な糸撚れの蓄積も防止できる。しかも、複雑な部材あるいは製造工程が不要な極めて簡単な指標部５４をだけでよいため、構造を簡素化し、製造コストを安価にすることができる。
【００２２】
図５から図８は、このような指標部の種々の変形例を示す。なお、以下に示す種々の変形例も基本的には上述の実施形態と同様であるため、同様な部位には同様な符号を付し、その詳細な説明を省略する。
図５の（Ａ）は、釣糸巻回胴部４２の先端側で、この釣糸巻回胴部４２の全周にわたって延設した線状の指標部５４Ａを示し、図５の（Ｂ）は円弧状すなわち釣糸巻回胴部４２の一部に沿って形成した指標部５４Ｂを示す。これらの指標部５４Ａ，５４Ｂを形成する線状の表示は、断面Ｕ字状の溝あるいは着色部で形成することができる。
【００２３】
図６は、凸部で形成した指標部５４Ｃを示す。この指標部５４Ｃは，前後の鍔部４４，４６と釣糸巻回胴部４２との境界部に延設し、スプール２２のストロークとほぼ同じ間隔に形成してある。釣糸巻回胴部４２からの高さは、釣糸Ｔの径よりも低いことが好ましく、また、角部は丸みをつけて釣糸Ｔを傷つけないように形成することが好ましい。この場合には、スプール２２が適性な取付け位置にあると、スプール２２を少なくとも一回往復動させて釣糸Ｔを巻回したときに、双方の指標部５４Ｃが露出する。いずれか一方の指標部５４Ｃが釣糸Ｔで覆われた場合には、スプール２２が適正位置から前後方向に偏倚した状態にあることを表示する。
【００２４】
図７は、先端側および後端側の指標部５４Ｄを比較的幅広の線状着色部で形成した変形例を示し、図８は、適正位置の全体を着色部とした指標部５４Ｅの変形例を示す。先端側指標部５４Ｄの前縁部と後端側指標部５４Ｄの後縁部との軸方向長さ、および、指標部５４Ｅの軸方向長さは、スプール２２のストロークとほぼ同じに形成してある。このような着色部は、Ｗアルマイト、印刷、染色アルマイト（このまま使用可能でしょうか？）などの適宜の手段で形成することができる。
【００２５】
図７および図８に示す変形例の場合には、スプール２２が適性な取付け位置にある場合、スプール２２を少なくとも一回往復動させて釣糸Ｔを巻回したときに、指標部５４Ｄおよび指標部５４Ｅの全体が釣糸Ｔで隠れる。先端側あるいは後端側で指標部５４Ｄ，５４Ｅが露出する場合には、スプール２２が適正位置から偏倚した状態にあることを表示する。
【００２６】
なお、上述では、フロントドラグ方式のドラグ機構２４を備えたスピニングリール１０について説明したが、スプールの後方にドラグ機構を設けたスピニングリールにも適用することが可能である。また、スプール２２は、支持部材２８を介して支えることに代え、スプール軸２０上に直接支えるものであってもよい。更に、上述の指標部５４，５４Ａ，５４Ｂ，５４Ｃ，５４Ｄ，５４Ｅは、先端側と後端側との一方にのみ設けてもよく、更に、断面Ｖ字状、Ｕ状あるいは半円状の溝に着色あるいは染色してもよいし、又、溝ではなく、着色又は染色だけで指標部を形成しても良い。先端側と後端側とに指標部を設ける場合には、双方を同様な指標部で形成することに代え、互いに異なる指標部を組み合わせることも可能である。
【００２７】
【発明の効果】
以上明らかなように、本発明によると、ごく僅かな巻回量でも糸巻き状態の適否判断を可能とし、スプールの調整作業を容易に行うことができると共に、釣糸に不要な糸撚れの蓄積を防止することができ、簡単な構造で安価に製造できる魚釣用スピニングリールが提供される。
【図面の簡単な説明】
【図１】本発明の好ましい実施形態による魚釣用スピニングリールの全体構造を示す説明図。
【図２】図１のスピニングリールのスプールの取付け構造を示す部分断面図。
【図３】図１のスピニングリールに示すスプールの部分拡大図。
【図４】図３に示すスプールに釣糸を試巻きした状態の説明図。
【図５】変形例による指標部を設けたスプールの部分図。
【図６】他の変形例による指標部を設けたスプールの部分図。
【図７】更に他の変形例による指標部を設けたスプールの部分図。
【図８】更に他の変形例による指標部を設けたスプールの部分図。
【符号の説明】
１０…魚釣用スピニングリール、１２…リール本体、１４…ハンドル軸、２０…スプール軸、２２…スプール、４２…釣糸巻回胴部、５４…指標部。
【図１】
2004290017.tif 000003
【図２】
2004290017.tif 000004
【図３】
2004290017.tif 000005
【図４】
2004290017.tif 000006
【図５】
2004290017.tif 000007
【図６】
2004290017.tif 000008
【図７】
2004290017.tif 000009
【図８】
2004290017.tif 000010